【手続補正書】
【提出日】平成18年8月7日(2006.8.7)
【手続補正１】
【補正対象書類名】明細書
【補正対象項目名】発明の名称
【補正方法】変更
【補正の内容】
【発明の名称】ＥＬ表示装置
【手続補正２】
【補正対象書類名】特許請求の範囲
【補正対象項目名】全文
【補正方法】変更
【補正の内容】
【特許請求の範囲】
【請求項１】
第１の基板と、前記第１の基板に対向して設けられる第２の基板とを有し、
前記第１の基板上に、第１の画素と、前記第１の画素と隣接する第２の画素とを有し、
前記第２の基板上に、前記第１の画素から発光された光が透過する第１の着色層と、前記第２の画素から発光された光が透過する第２の着色層と、前記第１の着色層の一部および前記第２の着色層の一部が重なって設けられる遮光部とを有し、
前記遮光部は、隣接する前記第１の画素と前記第２の画素との間と重なっていることを特徴とするＥＬ表示装置。
【請求項２】
第１の基板と、前記第１の基板に対向して設けられる第２の基板とを有し、
前記第１の基板上に、第１の画素と、前記第１の画素と隣接する第２の画素とを有し、
前記第１の画素および前記第２の画素はそれぞれ、第１の電極、発光層および第２の電極でなる発光素子を有し、
前記第２の基板上に、前記第１の画素から発光された光が透過する第１の着色層と、前記第２の画素から発光された光が透過する第２の着色層と、前記第１の着色層の一部および前記第２の着色層の一部が重なって設けられる遮光部とを有し、
前記遮光部は、隣接する前記第１の画素と前記第２の画素との間と重なっていることを特徴とするＥＬ表示装置。
【請求項３】
請求項２において、
前記第１の画素の発光層および前記第２の画素の発光層は、同じ層で設けられていることを特徴とするＥＬ表示装置。
【請求項４】
請求項２または請求項３において、
前記第１の電極の端部は、絶縁膜に覆われていることを特徴とするＥＬ表示装置。
【請求項５】
請求項１乃至請求項４のいずれか一項において、
前記第１の画素および前記第２の画素は、ＴＦＴを有することを特徴とするＥＬ表示装置。
【請求項６】
第１の基板と、前記第１の基板に対向して設けられる第２の基板とを有し、
前記第１の基板上に、ソース信号線と、ゲート信号線と、ＴＦＴとを有し、
前記第２の基板上に、第１の着色層と、第２の着色層と、前記第１の着色層の一部および前記第２の着色層の一部が重なって設けられる遮光部とを有し、
前記遮光部は、前記ソース信号線、前記ゲート信号線および前記ＴＦＴと重なっていることを特徴とするＥＬ表示装置。
【請求項７】
請求項１乃至請求項６のいずれか一項において、
前記第１の着色層および前記第２の着色層上に、平坦化された保護膜を有することを特徴とするＥＬ表示装置。
【請求項８】
請求項７において、
前記保護膜の膜厚は、２μｍ〜３μｍであることを特徴とするＥＬ表示装置。
【請求項９】
請求項１乃至請求項８のいずれか一項において、
前記第１の基板は、ダミー画素を有し、
前記遮光部は、前記ダミー画素の発光領域と重なっていることを特徴とするＥＬ表示装置。
【請求項１０】
請求項１乃至請求項９のいずれか一項において、
前記第１の基板は、電流モニタ画素を有し、
前記遮光部は、前記電流モニタ画素の発光領域と重なっていることを特徴とするＥＬ表示装置。
【請求項１１】
第１の基板と、前記第１の基板に対向して設けられる第２の基板とを有し、
前記第１の基板上に、第１の画素と、前記第１の画素と隣接する第２の画素と、前記第２の画素と隣接する第３の画素とを有し、
前記第２の基板上に、前記第１の画素から発光された光が透過する第１の着色層と、前記第２の画素から発光された光が透過する第２の着色層と、前記第３の画素から発光された光が透過する第３の着色層と、前記第１の着色層の一部および前記第２の着色層の一部が重なって設けられる第１の遮光部と、前記第２の着色層の一部および前記第３の着色層の一部が重なって設けられる第２の遮光部とを有し、
前記第１の遮光部は、隣接する前記第１の画素と前記第２の画素との間と重なり、
前記第２の遮光部は、隣接する前記第２の画素と前記第３の画素との間と重なっていることを特徴とするＥＬ表示装置。
【請求項１２】
第１の基板と、前記第１の基板に対向して設けられる第２の基板とを有し、
前記第１の基板上に、第１の画素と、前記第１の画素と隣接する第２の画素と、前記第２の画素と隣接する第３の画素とを有し、
前記第１の画素、前記第２の画素および前記第３の画素はそれぞれ、第１の電極、発光層および第２の電極でなる発光素子を有し、
前記第２の基板上に、前記第１の画素から発光された光が透過する第１の着色層と、前記第２の画素から発光された光が透過する第２の着色層と、前記第３の画素から発光された光が透過する第３の着色層と、前記第１の着色層の一部および前記第２の着色層の一部が重なって設けられる第１の遮光部と、前記第２の着色層の一部および前記第３の着色層の一部が重なって設けられる第２の遮光部とを有し、
前記第１の遮光部は、隣接する前記第１の画素と前記第２の画素との間と重なり、
前記第２の遮光部は、隣接する前記第２の画素と前記第３の画素との間と重なっていることを特徴とするＥＬ表示装置。
【請求項１３】
請求項１２において、
前記第１の画素の発光層、前記第２の画素の発光層および前記第３の画素の発光層は、同じ層で設けられていることを特徴とするＥＬ表示装置。
【請求項１４】
請求項１２または請求項１３において、
前記第１の電極の端部は、絶縁膜に覆われていることを特徴とするＥＬ表示装置。
【請求項１５】
請求項１１乃至請求項１４のいずれか一項において、
前記第１の画素、前記第２の画素および前記第３の画素は、ＴＦＴを有することを特徴とするＥＬ表示装置。
【請求項１６】
第１の基板と、前記第１の基板に対向して設けられる第２の基板とを有し、
前記第１の基板上に、ソース信号線と、ゲート信号線と、ＴＦＴとを有し、
前記第２の基板上に、第１の着色層と、第２の着色層と、第３の着色層と、前記第１の着色層の一部および前記第２の着色層の一部が重なって設けられる第１の遮光部と、前記第２の着色層の一部および前記第３の着色層の一部が重なって設けられる第２の遮光部とを有し、
前記第１の遮光部または前記第２の遮光部は、前記ソース信号線、前記ゲート信号線および前記ＴＦＴと重なっていることを特徴とするＥＬ表示装置。
【請求項１７】
請求項１１乃至請求項１６のいずれか一項において、
前記第１の着色層、前記第２の着色層および前記第３の着色層上に、平坦化された保護膜を有することを特徴とするＥＬ表示装置。
【請求項１８】
請求項１７において、
前記保護膜の膜厚は、２μｍ〜３μｍであることを特徴とするＥＬ表示装置。
【請求項１９】
請求項１１乃至請求項１８のいずれか一項において、
前記第１の基板は、ダミー画素を有し、
前記第２の基板は、前記第１の着色層の一部、前記第２の着色層の一部および前記第３の着色層の一部が重なって設けられる第３の遮光部を有し、
前記３の遮光部は、前記ダミー画素の発光領域と重なっていることを特徴とするＥＬ表示装置。
【請求項２０】
請求項１１乃至請求項１９のいずれか一項において、
前記第１の基板は、電流モニタ画素を有し、
前記第２の基板は、前記第１の着色層の一部、前記第２の着色層の一部および前記第３の着色層の一部が重なって設けられる第３の遮光部を有し、
前記３の遮光部は、前記電流モニタ画素の発光領域と重なっていることを特徴とするＥＬ表示装置。